(57)【要約】【課題】操作環を回転操作中に回転負荷を変えることができるレンズ鏡筒を提供する。【解決手段】レンズ鏡筒１は、固定環５に対して相対的に回転可能に配置された操作環８の回転によってレンズを光軸方向に移動させる。操作環８に設けられた操作環突起部８ａを、付勢ばね９により固定環５に設けられた空間５ａ内に配置された摩擦リング７に押し付けることにより、操作環８を回転させたときの摩擦リング７と操作環突起部８ａとの摩擦摺動により回転負荷を生じさせ、付勢ばね９による付勢力に抗して操作環突起部８ａが摩擦リング７から離間するように操作環８を固定環５に対して相対的に光軸方向に移動させることにより、摩擦摺動による回転負荷を小さくする。【選択図】図１
2015034872.tif 000002
【特許請求の範囲】
【請求項１】
固定環に対して相対的に回転可能に配置された操作環の回転によってレンズを光軸方向に移動させるレンズ鏡筒であって、
前記操作環の回転に回転負荷を与える制動部を有し、
前記制動部により生じる回転負荷の大きさは、前記操作環の回転方向とは異なる方向に前記操作環が操作されたときに変わることを特徴とするレンズ鏡筒。
【請求項２】
前記操作環の回転方向とは異なる方向とは、前記レンズ鏡筒の光軸方向であることを特徴とする請求項１に記載のレンズ鏡筒。
【請求項３】
前記制動部は、前記操作環に設けられた操作環突起部と、前記操作環突起部を前記固定環に付勢する付勢ばねとを有し、前記固定環と前記操作環突起部との摩擦摺動により回転負荷を生じさせ、
前記付勢ばねによる付勢力に抗して前記操作環突起部が前記固定環から離間するように前記操作環を前記固定環に対して相対的に光軸方向に移動させることにより、前記制動部に生じる回転負荷を小さくすることを特徴とする請求項２に記載のレンズ鏡筒。
【請求項４】
前記固定環は、断面略Ｌ字型の環状部を有し、
前記固定環の本体と前記環状部により形成される空間に前記操作環突起部と摩擦摺動する摩擦リングが配置されると共に、前記空間に粘性流体が充填されていることを特徴とする請求項３に記載のレンズ鏡筒。
【請求項５】
前記操作環の回転方向とは異なる方向とは、前記レンズ鏡筒の径方向であることを特徴とする請求項１に記載のレンズ鏡筒。
【請求項６】
前記操作環は、軟質材料部を有し、
前記制動部は、前記軟質材料部の内径側に設けられたリング状突起部と、前記リング状突起部が前記固定環から離間するように前記軟質材料部を外径側へ付勢する付勢ばねとを有し、
前記付勢ばねによる付勢力に抗して前記リング状突起部が前記固定環に接触するように前記軟質材料部を前記固定環に対して相対的に径方向に押圧することにより、前記リング状突起部と前記固定環との間に生じる摩擦摺動によって前記操作環の回転負荷を大きくすることを特徴とする請求項５に記載のレンズ鏡筒。
【請求項７】
前記固定環は、凹部を有し、
前記凹部に前記リング状突起部と摩擦摺動する摩擦リングが配置されると共に、前記凹部に粘性流体が充填されていることを特徴とする請求項６に記載のレンズ鏡筒。
【請求項８】
前記付勢ばねは、前記軟質材料部を外径側に向かって付勢する円環ばねであることを特徴とする請求項６又は７に記載のレンズ鏡筒。
【発明の詳細な説明】
【技術分野】
【０００１】
本発明は、フォーカスレンズやズームレンズ等のレンズ群をオートフォーカス機構と操作環のマニュアル操作とにより駆動することが可能なレンズ鏡筒に関する。
【背景技術】
【０００２】
デジタルカメラやビデオカメラ等の撮像装置による撮影方法として、撮影時に各焦点距離において距離目盛を利用してピントを合わせるという方法がある。このような撮影を行う場合には、ピント送り精度を向上させる必要があり、また、ズーム操作において任意の焦点距離を設定する際の操作精度を向上させる必要がある。
【０００３】
そこで、表面に粘性流体を塗布した内部鏡筒と、内部鏡筒に対して相対的に回転する操作環と、内部鏡筒に接触するように操作環に固定された接触部材と、操作環との位置関係を変更することで接触部材の接触量を変化させる調整部材とを有するレンズ鏡筒が提案されている（特許文献１参照）。
【先行技術文献】
【特許文献】
【０００４】
【特許文献１】特開平８−２８６０２号公報
【発明の概要】
【発明が解決しようとする課題】
【０００５】
しかしながら、上記特許文献１に記載された技術では、操作環を操作する重さを調整する際に、調整部材を操作環に対して相対的に回転させる操作が必要であり、撮影中にこの操作を行うためには、撮影を中断しなければならないという問題がある。
【０００６】
本発明は、操作環の回転操作中に操作環の回転負荷を変えることができるレンズ鏡筒を提供することを目的とする。
【課題を解決するための手段】
【０００７】
本発明に係るレンズ鏡筒は、固定環に対して相対的に回転可能に配置された操作環の回転によってレンズを光軸方向に移動させるレンズ鏡筒であって、前記操作環の回転に回転負荷を与える制動部を有し、前記制動部により生じる回転負荷の大きさは、前記操作環の回転方向とは異なる方向に前記操作環が操作されたときに変わることを特徴とする。
【発明の効果】
【０００８】
本発明では、操作環の回転に回転負荷を与える制動部により発生する回転負荷の大きさが、操作環の回転方向とは異なる方向に操作環が操作されたときに変わる構成とする。これにより、操作環をマニュアル操作で回転させる際に、操作環の回転負荷を自由に変えることができるため、撮影を中断する必要が無く、撮影時の操作環の操作性を向上させることができる。
【図面の簡単な説明】
【０００９】
【図１】本発明の第１実施形態に係るレンズ鏡筒の部分的な側部断面図である。
【図２】図１中の矢視Ａ−Ａ断面図及び矢視Ｂ方向平面図である。
【図３】図１のレンズ鏡筒が備える操作環の回動負荷の切り替え方法を模式的に示す側部断面図である。
【図４】図１のレンズ鏡筒の操作環をズーム環とフォーカス環に適用した交換レンズ鏡筒の概略構造を示す側部断面図である。
【図５】本発明の第２実施形態に係るレンズ鏡筒の部分的な側部断面図である。
【図６】図５のレンズ鏡筒が備える操作環の回動負荷の切り替え方法を模式的に示す側部断面図である。
【図７】図６中の矢視Ｃ−Ｃ断面図及び矢視Ｄ方向平面図である。
【図８】図５のレンズ鏡筒の操作環をズーム環とフォーカス環に適用した交換レンズ鏡筒の概略構造を示す側部断面図である。
【発明を実施するための形態】
【００１０】
以下、本発明の実施の形態について、添付図面を参照して詳細に説明する。
【００１１】
＜第１実施形態＞
図１は、本発明の第１実施形態に係るレンズ鏡筒１の部分的な側部断面図である。レンズ鏡筒１は、固定環５と操作環８とを備える。操作環８は、光軸を中心として固定環５に対して相対的に回転可能となっており、この回転によってズーム動作或いはフォーカス動作の操作を行うことができるようになっている。また、操作環８は、光軸方向に移動（スライド）可能で、通常状態では、固定環５に取り付けられている付勢ばね９による付勢力Ｆで被写体側に押し付けられている。
【００１２】
操作環８の一部でレンズ鏡筒１の内部にある操作環突起部８ａは、光軸と平行に配置されている。操作環突起部８ａは、固定環５の一部でレンズ鏡筒１の内部に設けられた断面略Ｌ字型の環状部と固定環５の本体との間に形成された空間５ａに配置された摩擦リング７に押し付けられている。摩擦リング７が配置されている固定環５の空間５ａには、粘性流体６が充填されている。粘性流体６は、固定環５の空間５ａに保持されている必要があるため、例えば、ペースト状にされたグリス（例えば、シリコングリス等）の高粘度流体が好適に用いられる。なお、本実施形態では、摩擦リング７と粘性流体６と付勢ばね９とで制動部が構成されている。
【００１３】
操作環８を回転させたときに、付勢ばね９による付勢力によって付勢ばね９と固定環５との間で摩擦抵抗が発生するのを防止するために、付勢ばね９と固定環５との間には、ワッシャ１０が配置されている。
【００１４】
図２（ａ）は、図１中の矢視Ａ−Ａ断面図（光軸方向と直交する断面図）であり、図２（ｂ）は、図１中の矢視Ｂ方向平面図（上面図）である。なお、図２（ａ）では、摩擦リング７と粘性流体６が現れない筈であるが、破線でこれらを示すことで、操作環突起部８ａが押し付けられているように描かれている。
【００１５】
付勢ばね９による付勢力Ｆで操作環突起部８ａが摩擦リング７に押し付けられることにより抗力が発生し、操作環８の回転に対して回転方向の逆方向に摩擦による抵抗力Ｋが生じる。この状態で、ズーム動作或いはフォーカス動作を行うために操作環８を固定環５に対して光軸を中心として回転させると、操作環突起部８ａと摩擦リング７との摩擦摺動よる摺動抵抗が発生する。粘性流体６は、操作環突起部８ａと摩擦リング７との摩擦摺動による引っ掛かり、ごろ感、抜けを防止すると共に粘性抵抗を発生させており、この粘性抵抗により操作環８の回転負荷を大きくすることにより、操作環８の微動回転を可能としている。
【００１６】
次に、図３を参照して、操作環８の回転負荷の切り替え方法（回転負荷を小さくする方法）について説明する。図３は、操作環８の回転負荷の切り替え方法を模式的に示す側部断面図である。ズーム動作或いはフォーカス動作のために光軸を中心として操作環８を回転させる際に、操作環８に付勢ばね９の付勢力Ｆより大きい力Ｊを発生させ、操作環８を固定環５に対して像面（撮像面）側に移動させる。即ち、操作環８の一部である操作環突起部８ａを摩擦リング７から離すように、操作環８を回転操作とは異なる方向に操作することで、操作環突起部８ａと摩擦リング７との摺動抵抗を小さくし或いは無くして、操作環８の回転負荷を小さくする。
【００１７】
以上の説明の通り、操作環８の微動調整を行う際には、通常状態にある操作環８を固定環５に対して光軸を中心として回転させる。このとき、操作環８の回転負荷は操作環突起部８ａと摩擦リング７との摺動抵抗と粘性流体６の高い粘性とによる負荷に逆らって操作環８を回転させる必要があるため、回転負荷は大きい。このように、操作環８の回転負荷が大きいと、操作時間が長く掛かることにはなるが、微妙な回転（微少角度の回転）が可能となるため、フォーカス動作の微調整に好適である。
【００１８】
一方、操作環８の粗動調整を行う際には、操作環８に力Ｊを発生させて、固定環５に対して光軸方向の像面側へ操作環８を移動させ、操作環突起部８ａを摩擦リング７から離間させて、光軸回りに回転させる。このときは操作環８の回転負荷が小さいため、操作環８を速く回転させることができ、よって、フォーカス動作の粗調整に好適である。
【００１９】
本実施形態に係るレンズ鏡筒１では、レンズ駆動のための操作環８の操作方向と回転負荷の調節のための操作環の操作方向とが異なるため、操作環８の光軸方向での移動操作は、操作環８の回転操作中も可能であり、また、その逆も可能である。つまり、操作環８の微動操作を行うための操作環８の回転操作中に、操作環８の粗動操作を行うための操作環８の移動操作に切り替えることができ、また、その逆の操作を行うこともできる。
【００２０】
次に、上述したレンズ鏡筒１の特徴的な構成である、回転操作と移動操作を任意に行うことができる操作環８を、ズーム環とフォーカス環に適用した交換レンズ鏡筒２１について、図４を参照して説明する。図４は、交換レンズ鏡筒２１の概略構造を示す側部断面図である。交換レンズ鏡筒２１では、ズームレンズとフォーカスレンズをそれぞれ保持するレンズ保持枠（レンズ保持部材）を駆動するズーム環４１及びフォーカス環４２の構造に、図１乃至図３を参照して説明した操作環８の構造が適用されている。
【００２１】
交換レンズ鏡筒２１では、被写体側から像面側へ向かって、１群レンズ保持枠２５に保持された１群ズームレンズ２２、２群レンズ保持枠２６に保持された２群ズームレンズ２３、３群レンズ保持枠２７に保持されたフォーカスレンズ２４が、この順に配置されている。１群ズームレンズ２２と２群ズームレンズ２３は、変倍作用を有する光軸方向移動レンズである。フォーカスレンズ２４は、焦点調節と像面補正を司る光軸方向移動レンズである。
【００２２】
１群レンズ保持枠２５の外周部には、周方向に３カ所、等間隔でカムピン２５ａが突設されている。各カムピン２５ａは、内側固定環２８に形成された３カ所の直進溝２８ａにそれぞれ挿通されると同時に、カム環２９に形成されている３カ所のカム溝２９ａにそれぞれ係合されている。カム環２９の回転によって、各カムピン２５ａは挿通されている各カム溝２９ａの軌跡に沿って移動し、これにより、１群ズームレンズ２２を光軸方向に移動させることができる。なお、各カムピン２５ａは１群ズームレンズ２２を光軸方向に移動させる直進ガイドの役割を兼ねており、１群レンズ保持枠２５に３個のカムピン２５ａを等間隔（均等）に配置することにより、直進移動精度が高められている。
【００２３】
１群レンズ保持枠２５と同様に、２群レンズ保持枠２６の外周部にも、周方向に３カ所、等間隔でカムピン２６ａが突設されている。各カムピン２６ａは、内側固定環２８に形成された３カ所の直進溝２８ｂにそれぞれ挿通されると同時に、カム環２９に形成されている３カ所のカム溝２９ｂにそれぞれ係合されている。カム環２９の回転によって、各カムピン２６ａは挿通されている各カム溝２９ｂの軌跡に沿って移動し、これにより、２群ズームレンズ２３を光軸方向に移動させることができる。なお、各カムピン２６ａは２群ズームレンズ２３を光軸方向に移動させる直進ガイドの役割を兼ねており、２群レンズ保持枠２６に３個のカムピン２６ａを等間隔に配置することにより、直進移動精度が高められている。
【００２４】
フォーカスレンズ２４を保持する３群レンズ保持枠２７を光軸方向に移動させるための駆動源には、ステッピングモータ３２が用いられている。３群レンズ保持枠２７にはナット３４が取り付けられており、ナット３４はリードスクリュー３３と螺合している。したがって、ステッピングモータ３２がリードスクリュー３３を回転させると、ナット３４光軸方向に移動することで３群レンズ保持枠２７を光軸方向に移動させる。このとき、ガイドバー３５が、３群レンズ保持枠２７を光軸方向に移動させるためのガイドとしての役割を担う。なお、不図示の付勢ばねにより、３群レンズ保持枠２７の光軸方向ガタが補正されている。
【００２５】
交換レンズ鏡筒２１の像面側には、不図示のカメラ本体のマウントと結合可能なマウント３６が設けられている。２群レンズ保持枠２６には、絞りシャッタユニット３７が１群ズームレンズ２２と２群ズームレンズ２３の間に配置されるように取り付けられており、絞りシャッタユニット３７は、絞り３８の絞り動作及びシャッタ動作を行う。なお、絞りシャッタユニット３７は、２群レンズ保持枠２６の光軸方向での移動に伴い、２群レンズ保持枠２６と一体に光軸方向に移動する。
【００２６】
交換レンズ鏡筒２１は、外側固定環５Ａを有する。外側固定環５Ａには、回転負荷調整機構を有するズーム環４１とフォーカス環４２が取り付けられている。外側固定環５Ａは、図１乃至３を参照して説明した固定環５に相当し、ズーム環４１とフォーカス環４２はそれぞれ、図１乃至３を参照して説明した操作環８に相当する。
【００２７】
ズーム環４１は、光軸方向に移動可能な移動部４１ａと、外側固定環５Ａに固定された固定部４１ｂとを有し、固定部４１ｂはカム環２９とメカ転結（機械的に結合）されている。なお、カム環２９の光軸方向でのガタの補正は、不図示の付勢ばねにより行われている。フォーカス環４２は、電子リングであり、回転方向のストローク端が無く、無限に回転可能な構造となっている。ズーム環４１とフォーカス環４２は共に、外側固定環５Ａに取り付けられている付勢ばね９による付勢力Ｆで、被写体側に押し付けられている。
【００２８】
交換レンズ鏡筒２１には、ズーム環４１とフォーカス環４２のそれぞれに対して、ズーム環位置検出センサ６３とフォーカス環位置検出センサ６４が設けられている。フォーカス環４２の光軸中心の回転量をフォーカス環位置検出センサ６４で検出し、ズーム環４１の光軸中心の回転量をズーム環位置検出センサ６３で検出する。ズーム環位置検出センサ６３とフォーカス環位置検出センサ６４の出力信号に基づいて交換レンズ鏡筒２１に設けられたレンズマイコン６５がフォーカスレンズ２４の光軸方向の移動量を決め、ステッピングモータ３２を駆動させる。これによりマニュアルフォーカス操作が可能になる。
【００２９】
ズーム動作を行うためにズーム環４１を外側固定環５Ａに対して光軸中心にマニュアル操作により回転させると、図４の状態では、ズーム環突起部４１ｃと摩擦リング７及び粘性流体６との接触により回転負荷が大きくなっているため、微動回転操作が可能である。このことは、カム環２９の微動回転が可能ということであり、カム環２９を光軸方向に微動移動させることができることを意味する。フォーカス動作を行うためにフォーカス環４２を外側固定環５Ａに対して光軸中心に回転させる場合も、同様の構成により微動回転が可能であり、よって、フォーカスレンズ２４の光軸方向の微動移動を行うことができる。
【００３０】
図３を参照した説明と同様に、付勢ばね９による付勢力Ｆより大きい力Ｊ（図４に不図示）でズーム環４１を外側固定環５Ａに対して光軸方向の像面側に移動させて光軸中心に回転させると、ズーム環突起部４１ｃが摩擦リング７から離れ、摺動抵抗が小さくなる。こうして、ズーム環４１の回転負荷が小さくなることで、粗動回転操作が可能になる。ズーム環４１の粗動回転操作が可能ということは、カム環２９の粗動回転が可能ということであり、カム環２９を光軸方向で粗動移動させることができることを意味する。フォーカス動作を行うためにフォーカス環４２を外側固定環５Ａに対して光軸中心に回転させる場合も、同様の構成により、粗動回転が可能であり、よって、フォーカスレンズ２４の光軸方向の粗動移動を行うことができる。
【００３１】
以上の説明の通り、交換レンズ鏡筒２１では、１群ズームレンズ２２、２群ズームレンズ２３及びフォーカスレンズ２４を光軸方向に移動させるためのズーム環４１とフォーカス環４２の回転負荷を回転操作中に切り替ることができる。これにより、各レンズの微動と粗動を任意に行うことができるようになり、撮影時のズーム操作性とフォーカス操作性が向上する。
【００３２】
＜第２実施形態＞
図５は、本発明の第２実施形態に係るレンズ鏡筒１Ａの部分的な側部断面図である。レンズ鏡筒１Ａは、固定環５０と操作環５１とを有する。操作環５１は、光軸を中心として固定環５０に対して相対的に回転させることができ、この回転によってズーム動作或いはフォーカス動作の操作を行うことができるようになっている。
【００３３】
操作環５１は、ゴム或いは可撓性を有する樹脂等の軟質材料により外側を構成する軟質材料部５１ａと、硬質樹脂等の硬質材料により内側を構成する硬質材料部５１ｂとからなる。軟質材料部５１ａには、内側に突起するリング状突起部５１ｃが設けられており、リング状突起部５１ｃの根幹部に円環ばね５２が配置されている。円環ばね５２は、操作環５１を光軸に対して外径側（径方向外側）に向けて付勢しており、これにより軟質材料部５１ａの形状が保持されている。
【００３４】
図５の状態では、軟質材料部５１ａに設けられたリング状突起部５１ｃの先端は、固定環５０の外周に設けられた凹部（円環状の溝部）の空間５０ａに配置された摩擦リング５４と対向しているが、摩擦リング５４とは接触せずに離間した状態にある。また、リング状突起部５１ｃの先端と摩擦リング５４との間の空間５０ａには、粘性流体５３が充填され、保持されている。なお、粘性流体５３に求められる特性は、第１実施形態で説明した粘性流体６に準じ、ここでの説明を省略する。第２実施形態では、摩擦リング５４と粘性流体５３が制動部を構成する。
【００３５】
したがって、図５の状態で操作環５１を固定環５０に対して光軸中心に回転させると、リング状突起部５１ｃは摩擦リング５４とは接触していないため、大きな摺動抵抗はなく、よって、小さい回転負荷で操作環５１を回転させることができる。つまり、図５の状態では、操作環５１の粗動回転操作を行うことができる。
【００３６】
次に、図６を参照して、操作環５１の回転負荷の切り替え方法（回転負荷を大きくする方法）について説明する。図６は、操作環５１の回転負荷の切り替え方法を模式的に示す側部断面図である。また、図７（ａ）は、図６中の矢視Ｃ−Ｃ断面図であり、図７（ｂ）は図６中の矢視Ｄ方向平面図である。
【００３７】
ズーム動作或いはフォーカス動作を行う際に、マニュアル操作により光軸を中心として操作環５１を微動回転させたい場合、操作者は、操作環５１のリング状突起部５１ｃの外周面を握り、内径側（径方向内側）に向かう押圧力Ｐを発生させる。即ち、操作環５１の回転操作とは異なる方向に操作環５１を操作する。そして、この押圧力Ｐにより、軟質材料部５１ａと円環ばね５２を変形させ、リング状突起部５１ｃの先端を摩擦リング５４と接触させ、摩擦リング５４に押し付ける。
【００３８】
換言すれば、操作環５１を微動回転させたい場合には、リング状突起部５１ｃの先端が少なくとも摩擦リング５４と接触し、更に摩擦リング５４に押し付けられるような押圧力Ｐが生じるように、操作者は操作環５１を握る必要がある。つまり、操作者が操作環５１を握ることで発生する押圧力Ｐが、リング状突起部５１ｃの先端を摩擦リング５４と接触させることができない程度であれば、図５に示した状態と変わらず、回転負荷が小さい状態のままとなる。
【００３９】
図７（ａ）に示すように、押圧力Ｐでリング状突起部５１ｃが摩擦リング５４に押し付けられることにより、押圧力Ｐの大きさに応じた大きさの抗力が発生し、操作環５１の回転に対して回転方向の逆方向に摩擦による抵抗力Ｓが生じる。なお、図７（ｂ）では、抵抗力Ｓは、紙面に垂直な方向に生じる。この状態で、ズーム動作或いはフォーカス動作を行うために操作環５１を固定環５０に対して光軸を中心として回転させると、リング状突起部５１ｃと摩擦リング５４との摩擦摺動による摺動抵抗が発生する。粘性流体５３は、リング状突起部５１ｃと摩擦リング５４との摩擦摺動による引っ掛かり、ごろ感、抜けを防止すると共に粘性抵抗を発生させており、この粘性抵抗により操作環５１の回転負荷を大きくすることで、操作環５１の微動回転を可能としている。
【００４０】
このように、レンズ鏡筒１Ａでは、操作者が操作環５１を握る力の大きさを変えることにより、操作環５１を回転操作する際の回転負荷の大きさを調整することができる。したがって、操作者は、好みや意思に応じて操作環５１を任意の力で操作することができ、操作性が向上する。
【００４１】
以上の説明の通り、操作環５１の粗動回転（粗調整）を行うときには、操作環５１をそのまま（操作環５１を変形させない程度に強く握らずに）回転させる。これにより操作環５１の回転負荷は大きくならず、小さな回転負荷で操作環５１を回転操作することができる。一方、操作環５１の微動回転（微調整）を行うときには、操作環５１のリング状突起部５１ｃが摩擦リング５４に押圧されて回転負荷が大きくなるような押圧力Ｐで操作環５１を握りながら回転させる。これにより、操作環５１の回転負荷は大きくなるため、微調整操作を行うことができる。
【００４２】
なお、操作環５１を握ることで押圧力Ｐを発生させることは、操作環５１の回転操作中に任意に行うことができることはいうまでもない。つまり、操作環５１の騒動回転操作と微動回転操作は、操作環５１を回転させるという操作中に、任意に切り替えることができる。
【００４３】
次に、上述したレンズ鏡筒１Ａの特徴的な構成である操作環５１を、ズーム環とフォーカス環に適用した交換レンズ鏡筒２１Ａについて、図８を参照して説明する。図８は、交換レンズ鏡筒２１Ａの概略構造を示す側部断面図である。操作環５１の構造は、交換レンズ鏡筒２１Ａにおいて、ズームレンズとフォーカスレンズをそれぞれ保持するレンズ保持枠（レンズ保持部材）を駆動するズーム環６１及びフォーカス環６２の構造に適用されている。なお、交換レンズ鏡筒２１Ａについての説明では、図４の交換レンズ鏡筒２１と同等な部分については、図８において同じ符号を付して説明を省略することとし、異なる構成要素についてのみ以下に説明することとする。
【００４４】
交換レンズ鏡筒２１Ａの外側固定環５０Ａには、ズーム環６１とフォーカス環６２が取り付けられている。ズーム環６１とフォーカス環６２は共に、図５に示した操作環５１と同様の構成を有している。そして、図４の交換レンズ鏡筒２１と同様に、ズーム環６１はカム環２９とメカ転結され、ズーム環６１を光軸中心に回転させることによって、１群ズームレンズ２２と２群ズームレンズ２３を光軸方向に移動させることができる。また、フォーカス環６２を回転させることにより、フォーカスレンズ２４を光軸方向に移動させることができる。
【００４５】
交換レンズ鏡筒２１Ａにおいてズーム動作を行うためにズーム環６１を外側固定環５０Ａに対して相対的に回転させると、図５を参照して説明した通りに、大きな摺動抵抗がないため、小さな力でズーム環６１粗動回転させることができる。フォーカス動作を行うためにフォーカス環６２を外側固定環５０Ａに対して光軸中心に回転させる場合も、同様の構成により、粗動回転が可能である。
【００４６】
一方、図６を参照して説明した通りに、ズーム環６１を握って押圧力Ｐを発生させ、ズーム環６１の円環ばね５２を変形させ、ズーム環６１のリング状突起部を摩擦リング５４と接触させた状態とする。これにより、ズーム環６１を回転させるときの回転負荷が大きくなるために微動回転が可能となり、その結果、カム環２９を光軸方向に微動移動させることができる。フォーカス動作を行うためにフォーカス環６２を外側固定環５０Ａに対して光軸中心に回転させる場合も、同様の構成により微動回転が可能であり、その結果、フォーカスレンズ２４を光軸方向に微動移動させることができる。
【００４７】
以上の説明の通り、交換レンズ鏡筒２１Ａでも、１群ズームレンズ２２、２群ズームレンズ２３及びフォーカスレンズ２４を光軸方向に移動させるためのズーム環６１とフォーカス環６２の回転負荷を回転操作中に切り替ることができる。これにより、各レンズの微動と粗動を任意に行うことができるようになり、撮影時のズーム操作性とフォーカス操作性が向上する。また、操作者は、ズーム環６１とフォーカス環６２を微動回転させる際の回転負荷を、ズーム環６１とフォーカス環６２を握る力の大きさによって変えることができるため、操作者にとって利便性が高い。
【００４８】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【符号の説明】
【００４９】
１，１Ａ    レンズ鏡筒
５，５０    固定環
６，５３    粘性流体
７，５４    摩擦リング
８，５１    操作環
８ａ    操作環突起部
９    付勢ばね
１０    ワッシャ
２１，２１Ａ    交換レンズ鏡筒
４１，６１    ズーム環
４２，６２    フォーカス環
５１ａ    軟質材料部
５１ｂ    硬質材料部
５２    円環ばね
【図１】
2015034872.tif 000003
【図２】
2015034872.tif 000004
【図３】
2015034872.tif 000005
【図４】
2015034872.tif 000006
【図５】
2015034872.tif 000007
【図６】
2015034872.tif 000008
【図７】
2015034872.tif 000009
【図８】
2015034872.tif 000010